(57)【要約】本発明は、最終画像が画像部分に基づいて形成される一方向回転装置を備えた多目的の動的なバックライト付き宣伝支持体に関する。本発明は、合同で回転しブロック（２３）の正面部に示される可撓性材料（３９）のシートを保持するエンドレスの透明な帯（３３）の穴に噛み合うリブ（３１）付きドラグローラ（２５）の側面を貫通する軸部分（２４）によって接続されるブロック（２３）およびバックライト画像部分担持体（３９）の結合システムに関する。それらは雄ラッチ（１３）によって金属容器支持体（１）上に保持される。前記ラッチが配置された後、左側部（２）の摺動部（３）が閉鎖される。本発明は、建物の正面を覆う宣伝、公共輸送機関（バス、電車等）、商品の輸送機関（トラック、トレーラー等）ベンチ、街灯、空港等、および全ての利用可能な広告掲示板に利用することができる。
2004520615.tif 000002
【特許請求の範囲】
【請求項１】
広告を提供するように意図された、街路、建物の正面、建物の側面、公共交通機関、地下鉄のプラットホーム、スポーツイベントスタジアム、空港等に配置されるのが見られるタイプの、最終画像が画像部分に基づいて形成される一方向ラップアラウンド装置を備えたバックライト付き動的多目的広告媒体であって、
それが金属容器媒体（１）から成り、その左側部（２）に、開いたときに金属底（１０）にブロック（２３）を連結することを可能にする摺動部（３）を有し、その上部（４）および下部（５）に、金属容器媒体（１）を閉じるためにクランク（９）または電動機による回転運動を受けるチェーン（８）によって運動するピニオン（７）をどちらも備えた２つのねじウォームシャフト（６）を持つことを本質的に特徴とする、
広告媒体。
【請求項２】
前記金属底（１０）が、ブロック（２３）を取り付けるために組み込まれた雄カップリング（１３）のみならず、雄電気コネクタ（１４）をも有することを特徴とする、
請求項１に記載の最終画像が画像部分に基づいて形成される一方向ラップアラウンド装置を備えたバックライト付き動的多目的広告媒体。
【請求項３】
前記電動機（１６）が金属容器媒体（１）の右側部（１５）にあり、前記電動機が、緊張装置（１９）によってピンと張られたチェーン（１８）を動かすピニオン（１７）を備えており、固定ラインシャフト（２２）の部分に接合されたガイドピニオン（２０）および他のピニオン（２１）を回転させることを特徴とする、
請求項１および２に記載の最終画像が画像部分に基づいて形成される一方向ラップアラウンド装置を備えたバックライト付き動的多目的広告媒体。
【請求項４】
固定ラインシャフト（２２）の部分が金属容器媒体（１）の右側部（１５）から出て、相互に独立しているがシャフト部分（２４）によってピンチローラ（２５）に接続されたブロック（２３）に入ることを特徴とする、
請求項１、２、および３に記載の最終画像が画像部分に基づいて形成される一方向ラップアラウンド装置を備えたバックライト付き動的多目的広告媒体。
【請求項５】
ピンチロール（２５）が両端にシャフトを貫通して２つの同軸延長部（２６）を有し、それが両側部を通してブシュまたはハブ（２７）に導入され、ブロック（２３）の側部の２つの金属シート（２８）の左右内面付近に配設されることを特徴とする、
請求項１、２、３、および４に記載の最終画像が画像部分に基づいて形成される一方向ラップアラウンド装置を備えたバックライト付き動的多目的広告媒体。
【請求項６】
ピンチロール（２５）が固定ラインシャフト（２２）の部分運動を受ける中実金属ウェブ（２９）から成り、前記ピンチロールがシャフト部分（２４）に同時に運動を提供し、中実金属ウェブ（２９）が、エンドレス透明ストリップ（３３）の両側に長手方向に配設された穴（３２）と噛み合うリブ（３１）を両端の円周上に備えた非金属材料（３０）に被覆されることを特徴とする、
請求項１ないし５に記載の最終画像が画像部分に基づいて形成される一方向ラップアラウンド装置を備えたバックライト付き動的多目的広告媒体。
【請求項７】
エンドレス透明ストリップ（３３）が固定フリーローラ（３４）および他の可変または調整可能なフリーローラ（３５）によって折り畳まれることを特徴とする、
請求項１ないし６に記載の最終画像が画像部分に基づいて形成される一方向ラップアラウンド装置を備えたバックライト付き動的多目的広告媒体。
【請求項８】
固定フリーローラ（３４）および可変または調整可能なフリーローラ（３５）が、カップリング（３７）によってローラ（３４）、（３５）、（４４）に取り付けられた矩形金属片（３６）を担持することを特徴とする、
請求項１ないし７に記載の最終画像が画像部分に基づいて形成される一方向ラップアラウンド装置を備えたバックライト付き動的多目的広告媒体。
【請求項９】
矩形金属片（３６）が端面に２つのねじ穴（３８）を有することを特徴とする、
請求項１ないし８に記載の最終画像が画像部分に基づいて形成される一方向ラップアラウンド装置を備えたバックライト付き動的多目的広告媒体。
【請求項１０】
エンドレス透明ストリップ（３３）のカップリング（４０）を受容する穴（６５）により、画像部分（３９）がエンドレス透明ストリップ（３３）に連結されることを特徴とする、
請求項１ないし９に記載の最終画像が画像部分に基づいて形成される一方向ラップアラウンド装置を備えたバックライト付き動的多目的広告媒体。
【請求項１１】
ブロック（２３）が雌電気コネクタ（４３）を有する蛍光灯（４２）の光拡散器（４１）を有することを特徴とする、
請求項１ないし１０に記載の最終画像が画像部分に基づいて形成される一方向ラップアラウンド装置を備えたバックライト付き動的多目的広告媒体。
【請求項１２】
光拡散器（４１）がその上部および下部に連結された２つの透明な固定フリーローラ（４４）を有することを特徴とする、
請求項１ないし１１に記載の最終画像が画像部分に基づいて形成される一方向ラップアラウンド装置を備えたバックライト付き動的多目的広告媒体。
【請求項１３】
固定フリーローラ（３４）および透明な固定フリーローラ（４４）が皿穴（６６）内への皿ねじ（４５）によって２つの金属シート（２８）に永久的に取り付けられることを特徴とする、
請求項１ないし１２に記載の最終画像が画像部分に基づいて形成される一方向ラップアラウンド装置を備えたバックライト付き動的多目的広告媒体。
【請求項１４】
可変または調整可能なフリーローラ（３５）が垂直皿穴（４６）内への皿ねじ（４７）によって２つの金属シート（２８）に取り付けられることを特徴とする、
請求項１ないし１３に記載の最終画像が画像部分に基づいて形成される一方向ラップアラウンド装置を備えたバックライト付き動的多目的広告媒体。
【請求項１５】
金属開閉蓋（４９）を持つ後部を除いて、ブロック（２３）が透明ボックス（４８）で覆われることを特徴とする、
請求項１ないし１４に記載の最終画像が画像部分に基づいて形成される一方向ラップアラウンド装置を備えたバックライト付き動的多目的広告媒体。
【請求項１６】
金属開閉蓋（４９）が４面にねじ穴（５０）を有し、そのうちの上面および下面は透明ボックス（４８）だけに取り付けられ、側面はねじ穴（５１）を有する金属シート（２８）および皿ねじ（６４）の挿入を可能にするために皿穴（５２）を有する透明ボックス（４８）に取り付けられることを特徴とする、
請求項１ないし１５に記載の最終画像が画像部分に基づいて形成される一方向ラップアラウンド装置を備えたバックライト付き動的多目的広告媒体。
【請求項１７】
透明ボックス（４８）がシャフト部分（２４）および適切な場合固定シャフト（２２）の挿入を可能にするために両側に円形穴（５３）を有することを特徴とする、
請求項１ないし１６に記載の最終画像が画像部分に基づいて形成される一方向ラップアラウンド装置を備えたバックライト付き動的多目的広告媒体。
【請求項１８】
金属開閉蓋（４９）が、雄カップリング（１３）を金属開閉蓋（４９）の金属ブリッジ（５４）または矩形穴（５５）と一致させることによって、金属底（１０）にブロック（２３）を固定する目的を有することを特徴とする、
請求項１ないし１７に記載の最終画像が画像部分に基づいて形成される一方向ラップアラウンド装置を備えたバックライト付き動的多目的広告媒体。
【請求項１９】
金属開閉蓋（４９）が電気コネクタ（５６）を収容することを特徴とする、
請求項１ないし１８に記載の最終画像が画像部分に基づいて形成される一方向ラップアラウンド装置を備えたバックライト付き動的多目的広告媒体。
【請求項２０】
金属シート（２８）の凹所（５８）内に埋め込まれる電気ケーブル（５７）が電気コネクタ（５６）から出ることを特徴とする、
請求項１ないし１９に記載の最終画像が画像部分に基づいて形成される一方向ラップアラウンド装置を備えたバックライト付き動的多目的広告媒体。
【請求項２１】
金属シート（２８）が雄電気コネクタ（５９）を有することを特徴とする、
請求項１ないし２０に記載の最終画像が画像部分に基づいて形成される一方向ラップアラウンド装置を備えたバックライト付き動的多目的広告媒体。
【請求項２２】
金属開閉蓋（４９）が画像部分（３９）の垂直性を維持する非金属シート（６０）を有することを特徴とする、
請求項１ないし２１に記載の最終画像が画像部分に基づいて形成される一方向ラップアラウンド装置を備えたバックライト付き動的多目的広告媒体。
媒体。
【請求項２３】
全てのブロック（２３）による最終画像（６２）が完成するまで、ブロック（２３）の組立体がシャフト部分（２４）および固定シャフト（２２）によってそれに伝達される回転運動（６１）を有することを特徴とする、
請求項１ないし２２に記載の最終画像が画像部分に基づいて形成される一方向ラップアラウンド装置を備えたバックライト付き動的多目的広告媒体。
【請求項２４】
全てのブロック（２３）が完成した後、シャフト部分（２４）の結果的に生じる半分が、摺動部（３）を備えた左側部（２）に配設されたブシュまたはハブ（６３）に導入され、こうして金属容器媒体（１）の完全かつ最終的な連結が実行され、使用の準備ができることを特徴とする、
請求項１ないし２３に記載の最終画像が画像部分に基づいて形成される一方向ラップアラウンド装置を備えたバックライト付き動的多目的広告媒体。
【発明の詳細な説明】
【技術分野】
【０００１】
本発明は、広告用に意図され、最終画像の大きさに関係なく１日２４時間確実に表示することができ、広告主が消費者に伝達したいメッセージを大きくするという意味で、広告主により多くの空間を提供する、最終画像が画像部分に基づいて形成される、一方向ラップアラウンド装置を備えたバックライト付き動的多目的広告媒体に関する。
【０００２】
さらに詳しくは、本発明は、電動機によって同時に表示されたときに、タイマによって制御された期間にわたり最終画像のモザイクを形成する、バックライト付き画像部分の担持体である、相互に対称なブロックの結合システムに関する。
【背景技術】
【０００３】
当該技術分野の現状において、上述に関連して、米国特許第１，８０９，３７８号、第１，９２８，０１２号，第１，９６６，６３４号、および第１，９９３，３３９号が公知であり、それらは共通の欠点として、表示しようとするメッセージを設置したり変更するためのシステムを持ち、フリーローラの構成が解決されておらず、それによってかなり大きい横幅を持つので、控えめに言ってもこれは複雑かつ骨の折れものであり、かつ、メッセージの数を増加するために、前者はオーバサイズにする必要があり、これはそれらを実行不可能にする。
【０００４】
米国特許第１，９６６，６３４号に関して、バックライティングの欠点が解決していないことに加えて、画像の巻回は、それがローラ上を移動するときに、ローラの内側または外側を移動する帯に応じて変化する本質的に中性繊維の直径のため、技術的にしわを生じる。
【０００５】
バックライティングの有無に関わらずラップアラウンド媒体は、前者の場合、ディスプレイ表面は画像全体が現れるまでそれが移動しなければならない距離に直接比例するので、サイズ制限の欠点を持つことも知られている。
他方、主な欠点として広告を搭載する以外の目的に車両を使用することができない、ラップアラウンドおよび照明付き広告を搭載する車両がある。
【発明の開示】
【０００６】
それにもかかわらず、本発明は、以下に記載する通り、上述の問題を非常にうまく解決する。
本発明によって提示される、最終画像が画像部分に基づいて形成される一方向ラップアラウンド装置を備えたバックライト付き動的多目的広告媒体は、バックライト付きのラップアラウンド広告媒体の発展における著しい前進を構成し、それがもたらす結果的かつ直接的な効果により目覚ましい設置の平易さを達成し、広告主の広告費を低下するだけでなく、彼らの低い維持コストをも達成する。
【０００７】
さらに詳しくは、本発明によって提示される、最終画像が画像部分に基づいて形成される一方向回転装置を備えたバックライト付き動的多目的広告媒体は、摺動部を備えた左側部と呼ばれる一側を除いて相互に接合される４個の矩形管によって形成される主金属構造から成り、それはピニオンを備えた２つのねじウォームシャフトをその上部および下部に有し、両方ともクランクまたは電動機による回転運動を受けるチェーンによって駆動され、目的として以下金属容器媒体と呼ぶ主金属構造の最終閉鎖を行い、その全てが矩形であり、その底は以下金属底と呼ぶ金属板によって閉鎖され、その背後に全ての電気系統が収容され、全ての電気配線にアクセスすることができるように、その全てが異なる検査用カバーで覆われる。
【０００８】
金属底は、以下雄カップリングという追加された一連のブラケットのみならず、計画的に配設された雄電気コネクタをも有する。
電気ブレーキ付きオン／オフタイマを装備した電動機は、以下右側部と呼ぶ金属容器媒体の他側に連結され、前記電動機は、以下固定シャフトと呼ぶ一連の固定ラインシャフト部分に緊密にリンクされた、他のはめば歯車を回転させるチェーンに運動を提供するはめば歯車を備え、その両端は、プリズムとして形成され、その小底面は、矩形を形成する２つの長辺を有し、それらの短辺は、プリズムの底面の中心をこれらの軸として有する半円形である。
【０００９】
さらに詳しくは、固定シャフトは、金属容器媒体の右側部から出て、（それらを接続するシャフトを除き）相互に絶対的に独立しており以下ブロックと呼ぶ矩形ボックスの右側部から入り、該ブロックは、固定シャフトを中実円筒形状片に受容し、その端部から減摩材のブシュまたはハブの内径に等しい直径を有する円形セグメントとして形成された２つのプリズムによって形成される２つの同軸延長部が出、ブロック側部の右および左内面によって２つの金属プレート上に計画的にかつ緊密に配設されたブシュまたはハブの外径は、前記中実円筒形状片の内径より常に小さい。以後ピンチロールと呼ぶ前記中実円筒形状片は、ラインシャフトからの運動を受ける中実金属ウェブ、およびそれに非金属材料が張られた別のウェブから成り、この後者は、両端の円周上にリブを有し、それは回転するときに、以下エンドレス透明ストリップと呼ぶ可撓性の透明な材料のエンドレス非弾性ストリップを、上記リブと噛み合う前記ストリップの両端にあるその全長に沿った穴により、引っ張る。
【００１０】
エンドレス透明ストリップは、フリーローラによって折り曲げられ、その一部は固定的に配設され、他はエンドレス透明ストリップの全長に応じて可変的にまたは調整可能に配設される。これらのフリーローラは、フリーローラの長さに等しい長さを有し厚さがフリーローラの直径よりわずかに小さい矩形の金属片を担持し、フリーローラの長さのせいで後者がエンドレス透明ストリップの牽引によって折れ曲がるのを防止するために、フリーローラの回転を可能にする連結器によってフリーローラの両端および／または全長の周囲の様々な位置で後者を連結し、金属容器媒体のサイズを過度に大きくすることなく、エンドレス透明ストリップの長さを増加することを可能にする。これらのフリーローラは、それらの端部および両端面ににねじ穴を持つ。したがって、フリーローラと矩形の金属片の組立体を以下でフリーローラと呼ぶ。
【００１１】
このエンドレス透明ストリップは、以下で画像部分と呼ぶ、任意の手段によって印刷された可撓性シートに連結される。それは、ブロックの正面に表示しようとする画像部分の高さと同等の幅を有するエンドレス透明ストリップを幅全体に覆う。前記画像部分は、エンドレス透明ストリップと画像部分の常に上向きの合同移動が可能となるように、画像部分の上部に計画的に配設されたカップリングによって、エンドレス透明ストリップに取り付けられる。
【００１２】
詳しくは、ラップアラウンド内で、エンドレス透明ストリップと画像部分の後部に、ブロックの正面部に近接して、それらは以下光拡散器と呼ぶ白色ラッカー塗装された湾曲金属シートを持つ。それは、電気接続が雌電気コネクタの形で配設され、エンドレス透明ストリップと画像部分の内面に光を投射する蛍光灯などの照明器具を担持し、照明された画像部分をその正面部分から見ることを可能にする。
【００１３】
さらに詳しくは、画像部分を正面部分に表示するときに半暗部が現れないように、透明な材料のフリーローラを光拡散器の上下部分の各々に連結する。
固定フリーローラは、皿ねじによって２つのブロック側部金属シートに永久的に取り付けられ、エンドレス透明ストリップを横方向に受容するために整列され配置されるブロックの枠組に強度を与える。固定フリーローラ間の距離は、可変または調整可能なフリーローラの直径がエンドレス透明ストリップと画像部分に沿ってそれらの確定的な調整位置に達するまで、すなわちエンドレス透明ストリップと画像部分が十分にピンと引っ張られるまで移動するときに、可変または調整可能なローラの通過を可能にするために、可変または調整可能なフリーローラの直径より１／４以上大きいことに注意する必要がある。この固定フリーローラ組立体には、光拡散器の透明な固定フリーローラが含まれる（セッティングの種類のため）。全ての固定フリーローラは皿ねじによって永久的に取り付けられる。
【００１４】
可変または調整可能なフリーローラは、どれだけ多くの可変フリーローラがあろうとそれらと同等の数の垂直スロットを持つ２つのブロック側部金属シートにそれらが取り付けられるので、この状態を保ち、前記垂直スロットは、最終的に可変または調整可能なフリーローラを後者のシャフトとして取り付ける皿ねじを収容するよう空けられており、可変または調整可能なフリーローラは、それらが移動するときに、エンドレス透明ストリップを担持し、可変または調整可能なフリーローラの皿ねじの下降が行われるときに、エンドレス透明ストリップをラップしてピンと張る。
【００１５】
ブロック間の距離、およびその結果としての画像部分間の距離を増大させ得るどんな種類の外部突出をも発生するのを防止するために、固定フリーローラおよび可変または調整可能なフリーローラの両方に皿ねじを使用し、最終的な全体画像表示を実質的に改善する。
【００１６】
ブロックは、金属開閉蓋を有する開閉後部を除いて、以下透明ボックスと呼ぶ反射防止処理した非金属の透明な材料のボックスによって覆われる。
透明ボックスは、ラインシャフトを導入するための円形穴、および他の皿穴を有する。金属開閉蓋は最終的に、皿ねじによってそこに取り付けられる。
【００１７】
さらに詳しくは、金属開閉蓋は透明ボックスの正面部の矩形の外周と同じ寸法を有しており、ブロックを単純に押し込んで右に偏位移動させることにより、摺動部を持つ左側部が開き、ラインシャフトが噛み合い始めると摺動部が金属底に連結するように、金属開閉蓋の外面に対称的にかつ計画的に配設された金属ブリッジまたは矩形穴に金属底の雄カップリングを一致させる手段によって、ブロックを金属底に取り付ける役割を有する。
【００１８】
金属開閉蓋は電気ケーブルがそこから出る雌電気コネクタを収容し、前記電気ケーブルは、エンドレス透明ストリップの幅寸法が減少しないように、右金属シートに作られた凹所に減摩ブシュまたはハブの上から埋め込まれ、それが担持する画像部分が雄電気コネクタに達する。この金属開閉蓋は、エンドレス透明ストリップによって担持された画像部分が、その下部を取り付けられていないときに滑り落ちるのを防止するために組み込まれた非金属材料のシートを有している。
【００１９】
ブロック組立体は、全てのブロックによる最終全体画像が完成するまで、各シャフト部の半分がブロック内に挿入され、もう半分が別のブロックに挿入されるように、シャフト部によってそれに伝達される順次回転運動を有し、結果的に得られるシャフト部の半分は、摺動部を持つ左側部に配設された減摩ブシュまたはハブに挿入され、こうして容器媒体の最終閉鎖が実行される。
【００２０】
本発明は、画像を連続的に表示することを意図している。すなわち、最初に投射された最終全体画像を形成する画像部分の総和が、最後の１つが投射された後で再び投射されるので、特定の製品の広告主は同一製品に関してより多くのメッセージを示し、かつ／またはより多くの広告主を受け入れることができる。
【００２１】
スタンドの足元の周囲を使用してフットボールスタジアムで、同じくスタンドの周囲を使用してスポーツセンタで、その上に立ったときに媒体のトリッピングが起きないように好ましくは完全に埋め込み整列させて、演劇が行われる平土間など特定の領域で、地下鉄の駅、列車の駅、およびバスの停留所、ならびに空港で、バスの側面や背面、タクシー車両の屋根フード、地下鉄および列車の車内を使用して公共交通機関で、商品の道路輸送機関で貨物自動車、セミトレーラ、リジッドまたはトレーラトラックの側面および背面の両方で、あらゆる種類の街路備品で、界壁が露出している建物で、すでに配設された標準パネルを使用して、後者にブロックを作動させるために必要かつ十分なメカニズムを提供して、それらの外観をかなり向上させるなど、様々な空間にそれを配置する機会を持つことから、その多目的性が達成される。
【００２２】
最終画像が画像部分に基づいて形成される一方向ラップアラウンド装置を備えたバックライト付きの動的多目的広告媒体について行った説明を補足するため、かつ、本発明の特徴をいっそうよく理解することを助ける目的で、本明細書の一体的な一部として、例証であって非限定的な特徴を持つ１組の図面を添付する。
【発明を実施するための最良の形態】
【００２３】
最終画像が画像部分に基づいて形成される一方向ラップアラウンド装置を備えたバックライト付きの動的多目的広告媒体は、金属容器媒体（１）としての主構造から構成され、摺動部（３）を備えたその左側部（２）はその上部（４）および下部（５）に、クランク（９）または電動機による回転運動を受けるチェーン（８）によって運動するピニオン（７）を両方とも備えている、２つのねじウォームシャフト（６）を有する。
【００２４】
金属容器媒体（１）は金属底（１０）を有し、その背後に、検査用カバー（１２）で覆われる電気系統（１１）が組み立てられる。
金属底（１０）は、雄カップリング（１３）のみならず組み込まれた雄電気コネクタ（１４）をも有する。
【００２５】
金属容器媒体（１）の右側部（１５）には、緊張装置（１９）によってピンと張られ、かつガイドピニオン（２０）および固定ラインシャフト（２２）の部分に接合された他のピニオン（２１）を回転させるチェーン（１８）を作動させるピニオン（１７）を装備した電動機（１６）がある。
【００２６】
固定ラインシャフト（２２）は、金属容器媒体（１）の右側部（１５）から出て、相互に独立しているがシャフト部分（２４）によってピンチロール（２５）に接続されたブロック（２３）内に入り、ピンチロール（２５）は、２つの金属シート（２８）の両側でブロック（２３）の側部の左右の内面に計画的に配設されたブシュまたはハブ（２７）に導入される、２つの同軸延長部（２６）を両端に有する。
【００２７】
ピンチロール（２５）は、固定ラインシャフト（２２）の運動を受ける中実金属ウェブ（２９）、およびエンドレス透明ストリップ（３３）の両側に長手方向に配設された穴（３２）と噛み合うリブ（３１）を両端の円周上に有する、非金属材料（３０）を被覆した別のウェブから成り、ピンチロール（２５）は、シャフト部分（２４）に同時に運動を提供する。
【００２８】
エンドレス透明ストリップ（３３）は固定フリーローラ（３４）および可変または調整可能なフリーローラ（３５）によって折り曲げられる。
固定フリーローラ（３４）および可変または調整可能なフリーローラ（３５）は、カップリング（３７）を介してローラに連結する矩形金属片（３６）を担持する。
【００２９】
矩形金属片（３６）は端面に２つのねじ穴（３８）を有する。
カップリング（４０）を受容する穴（６５）を持つ、以下画像部分（３９）と呼ぶ印刷された可撓性シートが、エンドレス透明ストリップ（３３）に連結される。
ブロック（２３）は、雌電気コネクタ（４３）を備えた、蛍光灯（４２）の光拡散器（４１）を有する。
【００３０】
透明な固定フリーローラ（４４）は、光拡散器（４１）の上部および下部の各々に連結されている。
固定フリーローラ（３４）および透明な固定フリーローラ（４４）は、皿穴（６６）内への皿ねじ（４５）によって２つの金属シート（２８）に取り付けられる。
【００３１】
可変または調整可能なフリーローラ（３５）は、垂直皿穴（４６）内の皿ねじ（４７）によって２つの金属シート（２８）に取り付けられる。
ブロック（２３）は、金属開閉蓋（４９）を有するそれらの後部を除いて、透明ボックス（４８）によって覆われる。この金属開閉蓋（４９）は４辺にねじ穴（５０）を持ち、そのうち上下辺は透明ボックス（４８）にだけ取り付けられ、側辺は非ねじ貫通穴（５１）を有する金属シート（２８）および皿ねじ（６４）の通過を可能にするために皿穴（５２）を持つ透明ボックス（５２）に取り付けられる。
【００３２】
透明ボックス（４８）は、シャフト部分（２４）および適切な場合は固定シャフト（２２）の通過を考慮して、両側に円形穴（５３）を有する。
金属開閉蓋（４９）の役割は、金属底（１０）の雄カップリング（１３）を金属開閉蓋（４９）の金属ブリッジ（５４）または矩形穴（５５）に一致させることによって、ブロック（２３）を金属底（１０）に固定することである。
【００３３】
金属開閉蓋（４９）はまた、電気ケーブル（５７）がそこから出る雌電気コネクタ（５６）を収容し、該ケーブルは雄電気コネクタ（５９）を有する金属シート（２８）の凹所（５８）に嵌め込まれる。金属開閉蓋（４９）は、画像部分（３９）の垂直性を維持し、それが連結しなくなるのを防止する、非金属シート（６０）を有する。
【００３４】
ブロック（２３）の組み立ては、最終的な画像全体（６２）がブロック（２３）により全て完成するまで、シャフト部分（２４）および固定シャフト（２２）によってそれに伝達される回転運動（６１）を含む。
ひとたび全てのブロック（２３）が完成すると、シャフト部分（２４）の結果的に得られる半分は、摺動部（３）を備えた左側部（２）に配設されたブシュまたはハブ（６３）に導入され、こうしてすぐに使用できる金属容器媒体（１）の全体的な最終的閉鎖および連結が実行される。
【００３５】
ここに開示した全てから、かつ図面の観察によって、最終画像が画像部分に基づいて形成される一方向ラップアラウンド装置を備えたバックライト付き動的多目的広告媒体が他の従来の実施形態に対して持つ利点を決定することができる。
当業者が本発明の範囲およびそれから誘導される利点を理解するために、この説明を続ける必要はない。
【００３６】
要素の材料、形状、サイズ、および配置は、これが発明の本質の変形を意味しない限り変更することができる。
それに基づいて本明細書を記載した用語は、常に幅広く、非限定的な意味で考慮するものとする。
【図面の簡単な説明】
【００３７】
【図１】摺動部を持つ左側部および金属開閉蓋を持つブロックを見ることができ、それが連結する場所を示している、金属容器媒体の正面斜視図である。
【図２】金属容器媒体の背面斜視図である。
【図３】連結されたブロック全部を見ることができ、画像部分を備えたそれらの各々が最終的に画像全体を提供する、金属容器媒体の正面斜視図である。
【図４】ピンチロールの詳細斜視図である。
【図５】ピンチロール、可変または調整可能な構成を持つフリーローラ、および矩形金属片を持つ固定ローラの斜視図である。
【図６】画像部分がエンドレスの透明ストリップ全体に均等に連結された、エンドレスの透明ストリップの斜視図である。
【図７】ブロックを形成する様々な部品の接続線付き斜視図である。
【図８】金属底に連結する方法を電気コネクタと共に見ることのできる、１ブロックの背面斜視図である。
【図９】金属底に連結する他の方法を電気コネクタと共に見ることのできる、１ブロックの背面斜視図である。
【図１０】連結前のラインシャフト部分を見ることのできる、１ブロックの正面斜視図である。
【図１１】連結後のラインシャフト部分を見ることのできる、１ブロックの正面斜視図である。
【図１２】金属開閉蓋の連結および連結のために右側部にシフトする前のブロックへの接続線の詳細斜視図である。
【図１３】金属開閉蓋の連結および連結のために右側部にシフトされた後のブロックへの接続線の詳細斜視図である。
【図１４】摺動部のみならずカップリング、電気コネクタ、および電動機をも備えた左側部の詳細を示す金属容器媒体の斜視図である。
【図１５】シャフト部分が金属容器媒体に連結される位置にあるブロックの斜視図である。
【国際公開パンフレット】
2004520615.tif 000003
2004520615.tif 000004
2004520615.tif 000005
2004520615.tif 000006
2004520615.tif 000007
2004520615.tif 000008
2004520615.tif 000009
2004520615.tif 000010
2004520615.tif 000011
2004520615.tif 000012
2004520615.tif 000013
2004520615.tif 000014
2004520615.tif 000015
2004520615.tif 000016
2004520615.tif 000017
2004520615.tif 000018
2004520615.tif 000019
2004520615.tif 000020
2004520615.tif 000021
2004520615.tif 000022
2004520615.tif 000023
2004520615.tif 000024
2004520615.tif 000025
2004520615.tif 000026
2004520615.tif 000027
2004520615.tif 000028
2004520615.tif 000029
2004520615.tif 000030
2004520615.tif 000031
2004520615.tif 000032
2004520615.tif 000033
2004520615.tif 000034
2004520615.tif 000035
【国際調査報告】
2004520615.tif 000036
2004520615.tif 000037
2004520615.tif 000038
2004520615.tif 000039